(57)【要約】【課題】廃棄された建材３から、鋼鈑部分３１と無機質ボード部分３２とを分離して回収するための簡便な分別回収方法および装置を提供する。【解決手段】無機質ボードと鋼鈑とを接着剤を介して積層した建材３を無機質ボード部分３２と鋼鈑部分３１とに分別して回収する方法であって、無機質ボードと鋼鈑との積層界面に剥離用治具１を当接し、上記鋼鈑部分３１をロール４で巻き取ることにより、上記鋼鈑部分３１と無機質ボード部分３２とを分離する建材の分別回収方法および装置。【選択図】図２
2004195275.tif 000002
【特許請求の範囲】
【請求項１】
無機質ボードと鋼鈑とを接着剤を介して積層した建材３を無機質ボード部分と鋼鈑部分とに分別して回収する方法であって、無機質ボードと鋼鈑との積層界面に剥離用治具を当接し、上記鋼鈑部分をロールで巻き取ることにより、上記鋼鈑部分と無機質ボード部分とを分離することを特徴とする建材の分別回収方法。
【請求項２】
上記剥離用治具がブレードである請求項１に記載の建材の分別回収方法。
【請求項３】
上記剥離用治具がピアノ線である請求項１に記載の建材の分別回収方法。
【請求項４】
上記剥離用治具が加熱手段により接着剤の融点以上に加熱されている請求項１に記載の建材の分別回収方法。
【請求項５】
建材搬送ベッド、ロール、剥離用治具および、この剥離用治具をその先端に備えるとともに分離された無機質ボード部分を受けるための無機質ボード部分受けベッドとからなり、上記ロールには、分離された鋼鈑部分をロールに巻き付けるための押え金具が取付けられた建材の分別回収装置。
【発明の詳細な説明】
【０００１】
【発明の属する技術分野】
本発明は、建材の分別回収方法および装置に関する。さらに詳しくは、建材を構成する鋼鈑と石膏ボードやセメントボード等の無機質ボードとを鋼鈑部分と無機質ボード部分とに分離して回収する分別回収方法および装置に関する。
【０００２】
【従来の技術】
近年、処分場の不足や、循環型社会への構造改革の一環として廃棄建材から資源のリサイクルが盛んに検討されている。例えば、木材セメント板から木材の破砕化を抑制しつつ、セメントモルタル塊を剥離し、セメントモルタルが付着残存する木材を、特定条件のミルで磨砕することで、セメントモルタルの付着量が著しく低減された木材と木材破片の混入がほとんどないセメントモルタル粉とを分別回収する技術が知られている（例えば、特許文献１。）。
【０００３】
【特許文献１】
特開平２００２−１０２７３７号公報（第１−４頁）
【０００４】
【発明が解決しようとする課題】
一方、無機質ボードと鋼鈑とを接着剤を介して積層した建材は、両者の分離が困難であるため、管理型廃棄物として、埋め立て処分されていた。しかし、上記した社会情勢の変化に伴い、ユニットバスの側壁等に用いられる化粧鋼鈑と無機質ボードを積層した建材も、上記の場合と同様に分別回収する技術が求められている。本発明はこのような状況の下で考え出されたものであり、鋼鈑と無機質ボードとを積層して構成され、使用済み後廃棄された建材から、鋼鈑部分と無機質ボード部分とを分離して回収するための簡便な分別回収方法および装置を提供することをその課題とする。
【０００５】
【課題を解決するための手段】
本発明は、上記課題を解決するために、つぎのような技術的手段を講じている。すなわち、本願第一発明によれば、無機質ボードと鋼鈑とを接着剤を介して積層した建材を無機質ボード部分と鋼鈑部分とに分別して回収する方法であって、無機質ボードと鋼鈑との積層界面に剥離用治具を当接し、上記鋼鈑をロールで巻き取ることにより、上記無機質ボード部分を分離することを特徴とする建材の分別回収方法を提供することができる。このようにすることにより、鋼鈑部分は電炉用の原料鉄等、また、無機質ボード部分は、無機質ボードや、セメント用原料等として資源を節約して、有効にリサイクルすることができる。
【０００６】
上記剥離用治具をブレードとすることが好ましい。このブレードを無機質ボードと鋼鈑との積層界面に当接し、上記鋼鈑部分をロールで巻き取ると、上記ブレードがカッターの役目を果たして剥離力が増大し、簡単に石膏ボードやセメントボード等の無機質ボード部分と鋼鈑部分とが分離され、両者を分別して回収することができる。
【０００７】
上記剥離用治具をピアノ線とすることが好ましい。このピアノ線を無機質ボードと鋼鈑との積層界面に当接し、上記鋼鈑部分をロールで巻き取ると、上記ピアノ線がカッターの役目を果たして剥離力が増大し、簡単に無機質ボード部分と鋼鈑部分とが分離され、両者を分別して回収することができる。
【０００８】
上記剥離用治具が加熱手段により接着剤の融点以上に加熱されることが好ましい。加熱により、無機質ボードと鋼鈑との積層界面に存在する接着剤層が軟化し、剥離用治具の進入が容易となるため、より簡単に無機質ボード部分と鋼鈑部分とを分離することができる。
【０００９】
本願第二発明は、建材搬送ベッド、ロール、剥離用治具および、この剥離用治具をその先端に備えるとともに分離された無機質ボード部分を受けるための無機質ボード部分受けベッドとからなり、上記ロールには、分離された鋼鈑部分をロールに巻き付けるための押え金具が取付けられた建材の分別回収装置が提供される。この装置を用いて建材を分別回収することにより、鋼鈑部分は電炉用の原料鉄等、また、無機質ボード部分は、無機質ボードや、セメント用原料等として、資源節約のために有効にリサイクルすることができる。
【００１０】
【発明の実施の形態】
以下、本発明の好ましい実施の形態について、図面を参照して、さらに詳細に説明する。無機質ボードと化粧鋼鈑とを接着剤を介して積層し、ユニットバスの側壁等に用いられた後、廃棄された建材３は、裏返した状態では、通常、図１の形態を示す。そこで、本願第一発明にかかる建材３の分別回収方法を実施する前に化粧鋼鈑の両端の立ち上がり縁の一方あるいは両方を切断する必要がある。本実施形態においては、両方を切断した場合について説明する。
【００１１】
図２は、本願第二発明にかかる建材の分別回収装置の概略構成図である。図３は、図２の側面図である。図２、図３からよくわかるように、上記分別回収装置は、建材搬送ベッド５、ロール４、ブレードを実施例とした剥離用治具１、この剥離用治具１をその先端に備えるとともに分離された無機質ボード部分３２を受ける、石膏ボードやセメントボード等の無機質ボード部分受けベッド２とからなり、上記ロール４には、分離された鋼鈑部分３１をロール４に巻き付けるための押え金具４１が取付けられている。
【００１２】
以下、上記建材の分別回収装置の動作について説明する。まず、化粧鋼鈑の両端立ち上がり縁が切断された上記建材３を、図４に示すように、建材搬送ベッド５に載置し、鋼鈑部分３１の端部を押え金具４１によってしっかりと固定する。ついで、剥離用治具１として用いたブレードを無機質ボードと鋼鈑との界面に当接し、ロール４を矢印の方向に回転させる。ロール４の回転とブレードとによって剥離力が発生し、鋼鈑部分３１はロール４に巻き取られるとともに、無機質ボード部分３２は前方に進み、図３に示すように無機質ボード部分受け部２に送られる。さらに、図５に示すようにロール４を回転させ、鋼鈑部分３１の巻き取りを進めていくと、鋼鈑部分３１の無機質ボード部分３２からの剥離が進行し、遂には、両者は分別して回収される。
【００１３】
上記に説明した形態において、ブレードに加熱手段を組み込み、ブレードを建材３の無機質ボードと鋼鈑との界面を構成する接着剤の融点以上に加熱すると、接着剤層が軟化してブレードの進入が容易となり、両者の分離をさらに効率よく行なうことができる。例えば、ブレード内部に電気抵抗を組み込むか、ブレード自体を電気抵抗の大きな金属で構成し、通電することによって、上記形態を実現することができる。又、剥離用治具１としてピアノ線を用いてもよい。特に、本発明では、無機質ボードとしては、石膏ボードが有効である。
【００１４】
【発明の効果】
以上述べたように、請求項１に記載の発明は、石膏ボードやセメントボード等の無機質ボードと鋼鈑とを接着剤を介して積層した建材３を無機質ボード部分３２と鋼鈑部分３１とに分別して回収する方法であって、無機質ボードと鋼鈑との積層界面に剥離用治具１を当接し、上記鋼鈑部分３１をロール４で巻き取ることにより、上記鋼鈑部分３１と無機質ボード部分３２とを分離することを特徴とする建材の分別回収方法である。このようにすることにより、鋼鈑部分３１は電炉用の原料鉄等、また、無機質ボード部分３２は、無機質ボードや、セメント用原料等とし、資源節約のために有効にリサイクルすることができる。
【００１５】
請求項２に記載の発明は、上記剥離用治具１がブレードとされる。このブレードを無機質ボードと鋼鈑との積層界面に当接し、上記鋼鈑部分３１をロール４で巻き取ると、剥離力が発生するため、上記ブレードがカッターの役目を果たし、請求項１に記載の発明の効果に加えて、簡単に無機質ボード部分３２と鋼鈑部分３１とが分離され、両者を分別して回収することができる。
【００１６】
請求項３に記載の発明は、上記剥離用治具１がピアノ線とされる。このピアノ線を無機質ボードと鋼鈑との積層界面に当接し、上記鋼鈑部分３１をロール４で巻き取ると、剥離力が発生するため、上記ピアノ線がカッターの役目を果たし、請求項１に記載の発明の効果に加えて、簡単に無機質ボード部分３２と鋼鈑部分３１とが分離され、両者を分別して回収することができる。
【００１７】
請求項４に記載の発明は、上記剥離用治具１が加熱手段により接着剤の融点以上に加熱される。加熱により、請求項１に記載の発明の効果に加えて、無機質ボードと鋼鈑との積層界面に存在する接着剤層が軟化し、剥離用治具１の進入が容易となるため、より簡単に無機質ボード部分３２と鋼鈑部分３１とを分離することができる。
【００１８】
請求項５に記載の本願第二発明は、建材搬送ベッド５、ロール４、剥離用治具１および、この剥離用治具１をその先端に備えるとともに分離された無機質ボード部分３２を受けるための無機質ボード部分受けベッド２とからなり、上記ロール４には、分離された鋼鈑部分３１をロール４に巻き付けるための押え金具４１が取付けられた建材の分別回収装置が提供される。この装置を用いて建材３を分別回収することにより、鋼鈑部分３１は電炉用の原料鉄等、また、無機質ボード部分３２は、無機質ボードや、セメント用原料等として、資源節約のために有効にリサイクルすることができる。
【図面の簡単な説明】
【図１】廃棄された建材の裏面を示す斜視図である。
【図２】本願第二発明にかかる建材の分別回収装置の概略構成を示す斜視図である。
【図３】建材の分別回収装置の概略構成を示す側面図である。
【図４】建材の分別回収装置の初期動作を示す側面図である。
【図５】建材の分別回収装置の最終動作を示す側面図である。
【符号の説明】
１          剥離用治具
２          無機質ボード部分受けベッド
３          建材
３１        鋼鈑部分
３２        無機質ボード部分
４          ロール
４１        押え金具
５          建材搬送ベッド
【図１】
2004195275.tif 000003
【図２】
2004195275.tif 000004
【図３】
2004195275.tif 000005
【図４】
2004195275.tif 000006
【図５】
2004195275.tif 000007